(57)【特許請求の範囲】
【請求項１】
長さ方向に帯状の台紙と、
この台紙に仮着する複数のラベル片と、を有するとともに、
前記台紙の幅方向における複数本の折り目によりつづら折りに折り畳むファンフォールドラベルであって、
前記折り目は、前記ラベル片の幅方向を横切っていることを特徴とするファンフォールドラベル。
【請求項２】
前記折り目は、これをミシン目としていることを特徴とする請求項１記載のファンフォールドラベル。
【請求項３】
前記折り目は、前記ラベル片の長さ方向の中央に位置していることを特徴とする請求項１記載のファンフォールドラベル。
【請求項４】
前記折り目は、前記ラベル片の長さ方向の中央からずれた部位に位置していることを特徴とする請求項１記載のファンフォールドラベル。
【請求項５】
前記折り目は、前記ラベル片の長さ方向における互いに異なった位置に少なくとも二本これを形成していることを特徴とする請求項１記載のファンフォールドラベル。
【請求項６】
前記折り目は、これをミシン目としているとともに、
前記台紙の両縁部に、このミシン目の非切断部を位置させることを特徴とする請求項１記載のファンフォールドラベル。
【請求項７】
前記折り目は、これをミシン目としているとともに、
前記ラベル片の両縁部に、このミシン目の切断部を位置させることを特徴とする請求項１記載のファンフォールドラベル。
【請求項８】
前記折り目は、これをミシン目としているとともに、
当該ファンフォールドラベルの谷折り部のミシン目における切断部の長さと非切断部の長さとの比を、当該ファンフォールドラベルの山折り部のミシン目における切断部の長さと非切断部の長さとの比より大きくしたことを特徴とする請求項１記載のファンフォールドラベル。
【請求項９】
長さ方向に帯状の台紙と、
この台紙に仮着する複数のラベル片と、を有するとともに、
前記台紙の幅方向における複数本の折り目によりつづら折りに折り畳むファンフォールドラベルの折畳み方法であって、
前記折り目を前記ラベル片の幅方向を横切って形成するとともに、
前記折り目において山折りおよび谷折りを交互に繰り返してつづら折りに折り畳むことを特徴とするファンフォールドラベルの折畳み方法。
【発明の詳細な説明】
【技術分野】
【０００１】
本発明はファンフォールドラベルおよびその折畳み方法にかかるもので、とくに帯状の台紙上に複数枚のラベル片を仮着した構成のファンフォールドラベルおよびその折畳み方法に関するものである。
【背景技術】
【０００２】
従来から、つづら折りに折り畳んだ構成のファンフォールドラベル１が知られている。
図７ないし図９にもとづきファンフォールドラベル１について概説する。
図７は、ファンフォールドラベル１の斜視図、図８は、ファンフォールドラベル１の平面図、図９は、図８のＩＸ−ＩＸ線断面図である。
ファンフォールドラベル１は、長さ方向に帯状（長尺状）の台紙２（剥離紙）と、この台紙２の上層に仮着する複数のラベル片３と、を有する。ラベル片３の裏面には台紙２に対向して粘着剤層４を形成してある。
【０００３】
とくに図７に示すように、互いに隣り合うラベル片３の間の台紙２の幅方向に形成した複数本の折り目５によりつづら折り（山折りおよび谷折りを交互に繰り返したジグザグ状に）に折り畳んでいる。折り目５としては、台紙２に穿設したミシン目の構造を採用している。
【０００４】
なお図９に示すように、台紙２の裏面に位置検出用マーク６をあらかじめ印刷しておき、任意のプリンター（図示せず）により必要な情報を印字する際のラベル片３の位置検出に利用する。
【０００５】
こうした構成のファンフォールドラベル１は、図７に示すように、折り目５において全体をつづら折りに折り畳むものであり、図８に示すように、ラベル片３上に上記任意のプリンターにより必要な情報（人間が視認可能な文字や数字、さらに必要ならばバーコードなどによる情報）を印字して表示し、ラベル片３を台紙２から剥離したのちに、ラベル片３の長さ方向中央部に位置させたラベル片折曲げ線７の部分でラベル片３を折り曲げて、たとえば二層ラベル片３Ａ（折曲げタグ）としてその表裏面に必要な情報を表示可能としている。
あるいは、同じく図８に示すように、ラベル片折曲げ線７を中央部からずらせ、粘着剤層４が一部露出した状態に折り曲げて、二層ラベル片３Ｂとし、被貼付け部８に貼り付けるようにすることもできる。
【０００６】
上述した二層ラベル片３Ａのように、ラベル片３の中央からラベル片折曲げ線７の部分で折り曲げて折曲げタグ（二層ラベル片３Ａ）として利用する場合、ラベル片３の裏面の粘着剤層４を一部露出させて二層ラベル片３Ｂとして利用する場合、さらに図示はしていないが、ラベル片３の裏面の一部に粘着剤層４を形成せずに、糊なし状態で折り曲げた形態で利用する場合など、各種の利用形態がある。
【０００７】
しかしながら、ファンフォールドラベル１から剥離したのちのラベル片３を折り曲げる場合には、ラベル片３には折り曲げ線がなくラベル片３を折り曲げる操作が面倒であるとともに、裏面に粘着剤層４があるので折り曲げにくく、とくにラベル片３の材料がフィルム系材料である場合には、その剛性により粘着剤層４がはがれて折り曲げ前の形状に戻ってしまうなどの問題がある。
【０００８】
【特許文献１】特開２００４−１７９９５号公報
【発明の開示】
【発明が解決しようとする課題】
【０００９】
本発明は以上のような諸問題にかんがみなされたもので、台紙から剥離したのちのラベル片を折り曲げやすくすることができるファンフォールドラベルおよびその折畳み方法を提供することを課題とする。
【００１０】
また本発明は、折り曲げたのちのラベル片がもとの形態に戻りにくくしたファンフォールドラベルおよびその折畳み方法を提供することを課題とする。
【００１１】
また本発明は、各種の折曲げ形態に利用が可能であるファンフォールドラベルおよびその折畳み方法を提供することを課題とする。
【課題を解決するための手段】
【００１２】
すなわち本発明は、従来のファンフォールドラベルのように、ラベル片とラベル片との間に折り目を形成するのではなく、ラベル片の折り曲げたい部位に折り目を位置させることに着目したもので、第一の発明は、長さ方向に帯状の台紙と、この台紙に仮着する複数のラベル片と、を有するとともに、上記台紙の幅方向における複数本の折り目によりつづら折りに折り畳むファンフォールドラベルであって、上記折り目は、上記ラベル片の幅方向を横切っていることを特徴とするファンフォールドラベルである。
【００１３】
第二の発明は、長さ方向に帯状の台紙と、この台紙に仮着する複数のラベル片と、を有するとともに、上記台紙の幅方向における複数本の折り目によりつづら折りに折り畳むファンフォールドラベルの折畳み方法であって、上記折り目を上記ラベル片の幅方向を横切って形成するとともに、上記折り目において山折りおよび谷折りを交互に繰り返してつづら折りに折り畳むことを特徴とするファンフォールドラベルの折畳み方法である。
【００１４】
上記折り目は、これをミシン目としていることができる。
【００１５】
上記折り目は、上記ラベル片の長さ方向の中央に位置していることができる。
【００１６】
上記折り目は、上記ラベル片の長さ方向の中央からずれた部位に位置していることができる。
【００１７】
上記折り目は、上記ラベル片の長さ方向における互いに異なった位置に少なくとも二本これを形成していることができる。
【００１８】
上記折り目は、これをミシン目としているとともに、上記台紙の両縁部に、このミシン目の非切断部を位置させることができる。
【００１９】
上記折り目は、これをミシン目としているとともに、上記ラベル片の両縁部に、このミシン目の切断部を位置させることができる。
【００２０】
上記折り目は、これをミシン目としているとともに、当該ファンフォールドラベルの谷折り部のミシン目における切断部の長さと非切断部の長さとの比を、当該ファンフォールドラベルの山折り部のミシン目における切断部の長さと非切断部の長さとの比より大きくすることができる。
【００２１】
上記ラベル片のラベル基材としては、紙系、フィルム系その他任意のものを採用可能である。
【発明の効果】
【００２２】
本発明によるファンフォールドラベルおよびその折畳み方法においては、山折りおよび谷折り用の折り目がラベル片の幅方向を横切っているようにしたので、ラベル片を台紙から剥離した状態で、ラベル片にもその幅方向を横切って折り目が形成されており、ラベル片を任意の形態の二層ラベル片として簡単に折り曲げることができる。
さらに、折り曲げた部分は折り目が形成されているので、ラベル片の剛性により二層ラベル片が折り曲げる前のラベル片の形態に戻ってしまうことはないので安定して利用することができる。
【００２３】
とくに第一の発明によれば、ファンフォールドラベルとするための折り目自体がラベル片を横切っているので、この折り目をラベル片自体の折り曲げ用に利用することができる。
【００２４】
とくに第二の発明によれば、ラベル片の幅方向を横切って形成した折り目において山折りおよび谷折りを交互に繰り返してつづら折りに折り畳むことができるので、台紙から剥離するラベル片に折り曲げ用の線をあらかじめ形成しておくことができる。
【発明を実施するための最良の形態】
【００２５】
本発明は、ファンフォールドラベル全体をつづら折りするための折り目をラベル片の幅方向を横切るように形成したので、容易な折曲げ操作および安定した折曲げ形態を得ることができるファンフォールドラベルおよびその折畳み方法を実現した。
【実施例】
【００２６】
つぎに本発明の第１の実施例によるファンフォールドラベル１０およびその折畳み方法を図１ないし図３にもとづき説明する。ただし、図７ないし図９と同様の部分には同一符号を付し、その詳述はこれを省略する。
図１は、ファンフォールドラベル１０の斜視図、図２は、同ファンフォールドラベル１０を引き延ばした状態の平面図、図３は、図２のＩＩＩ−ＩＩＩ線断面図である。
ファンフォールドラベル１０は、前述した従来のファンフォールドラベル１と同様に、台紙２、ラベル片３および粘着剤層４を有するが、ミシン目により形成した折り目１１をラベル片３の幅方向に横切っているように形成する。
この折り目１１の部分においてファンフォールドラベル１０全体をつづら折りに折り畳み可能としている。
すなわち、折り目１１は、ラベル片３の長さ方向の中央に位置し、台紙２およびラベル片３を通して一度にこれを形成し、これらを一緒に折り畳み可能としている。
【００２７】
また、図２に一部を拡大して示すように、折り目１１は、台紙２の両縁部に、このミシン目の非切断部１１Ａを位置させることにより、通常の取扱いでは台紙２自体を破れにくくする。
一方、ラベル片３の両縁部に、折り目１１のミシン目の切断部１１Ｂを位置させることにより、折り目１１の部分でラベル片３を折り曲げやすくすることができる。
もちろん、必要に応じて折り目１１の部分からラベル片３の一部を切り取る際にも、切り取りやすくすることができる。
【００２８】
さらに折り目１１は、ファンフォールドラベル１０の谷折り部１１Ｖのミシン目における切断部１１Ｂの長さと非切断部１１Ａの長さとの比（たとえば、３：１）を、ファンフォールドラベル１０の山折り部１１Ｍのミシン目における切断部１１Ｂの長さと非切断部１１Ａの長さとの比（たとえば、２．５：１）より大きくしている。
【００２９】
なお折り目１１の領域近傍は、プリンター（図示せず）などによる印字を行わないようにした印字不可領域とすることにより、サーマルヘッドその他の印字ヘッドの破損を回避可能とすることが望ましい。
【００３０】
こうした構成のファンフォールドラベル１０において、とくに図２に示すように、ファンフォールドラベル１０の山折り部１１Ｍおよび谷折り部１１Ｖにおけるつづら折りの折り畳み状態において、すでにラベル片３にも折り目１１が位置することになるので、ラベル片３への印字および台紙２からの剥離ののち、この折り目１１の部分でラベル片３を容易に折り曲げることができるとともに、その折り曲げ状態が元の平坦形状に戻る可能性もきわめて少ない。
【００３１】
なお、ファンフォールドラベル１０の谷折り部１１Ｖのミシン目（折り目１１）における切断部１１Ｂの長さと非切断部１１Ａの長さとの比を、山折り部１１Ｍのミシン目における切断部１１Ｂの長さと非切断部１１Ａの長さとの比より大きくしているので、谷折り部１１Ｖの部分でラベル片３を折り曲げる際にも山折り部１１Ｍの部分でラベル片３を折り曲げる際と同様に容易に折り曲げ可能である。
【００３２】
図４は、本発明の第２の実施例によるファンフォールドラベル２０の平面図であって、ファンフォールドラベル２０においては、折り目１１は、ラベル片３の長さ方向の中央からずれた部位に位置している。
【００３３】
こうした構成のファンフォールドラベル２０においても、図１のファンフォールドラベル１０と同様に、台紙２から剥離したのちのラベル片３を容易に折り目１１の部分において折り曲げ可能であるとともに、ラベル片３の裏面の一部に粘着剤層４を露出して二層ラベル片３Ｂ（図８を参照）として利用可能である。
【００３４】
図５は、本発明の第３の実施例によるファンフォールドラベル３０の平面図であって、ファンフォールドラベル３０においては、折り目１１は、ラベル片３の長さ方向の中央からずれた部位に位置しているとともに、たとえばラベル片３の矩形部３Ｃ（折り目１１を境にして図中左側のラベル部分）のみに粘着剤層４を形成し、折り目１１を境にして図中右側の半円形部３Ｄには粘着剤層４を形成していない。
【００３５】
こうした構成のファンフォールドラベル３０においても、図１のファンフォールドラベル１０および図４のファンフォールドラベル２０と同様に、台紙２から剥離したのちのラベル片３を折り目１１の部分において容易に折り曲げ可能で所要の利用形態とすることができるが、必要に応じて矩形部３Ｃのみを前記被貼付け部８（図８を参照）に貼り付けておき、矩形部３Ｃから半円形部３Ｄを切断分離して、小売店などにおける応募券などとして利用可能である。
【００３６】
図６は、本発明の第４の実施例によるファンフォールドラベル４０の平面図であって、ファンフォールドラベル４０においては、折り目１１は、ラベル片３の長さ方向における互いに異なった位置に任意の複数本（たとえば図示の例では二本）これを形成している。
【００３７】
したがって、ラベル片３は、その領域を三分することができるので、たとえば、バーコード印字領域４１、人間が視認可能な文字や数字の文字数字印字領域４２、および無線によるデータ交信が可能なＲＦＩＤタグ４３を有するＲＦＩＤタグ領域４４などを配置することができる。なお、中央に位置する文字数字印字領域４２の長さが、バーコード印字領域４１およびＲＦＩＤタグ領域４４の合計の長さとなるように二本の折り目１１を位置させることができる。
【００３８】
こうした構成のファンフォールドラベル４０においても、ラベル片３を台紙２から剥離したのちに、折り目１１の部分において容易にこれを折り曲げ、多様な機能を有する二層ラベル片３Ｅとして利用することができる。
【図面の簡単な説明】
【００３９】
【図１】本発明の第１の実施例によるファンフォールドラベル１０の斜視図である。
【図２】同、ファンフォールドラベル１０を引き延ばした状態の平面図である。
【図３】同、図２のＩＩＩ−ＩＩＩ線断面図である。
【図４】本発明の第２の実施例によるファンフォールドラベル２０の平面図である。
【図５】本発明の第３の実施例によるファンフォールドラベル３０の平面図である。
【図６】本発明の第４の実施例によるファンフォールドラベル４０の平面図である。
【図７】従来のファンフォールドラベル１の斜視図である。
【図８】同、ファンフォールドラベル１の平面図である。
【図９】同、図８のＩＸ−ＩＸ線断面図である。
【符号の説明】
【００４０】
１  ファンフォールドラベル（従来、図７）
２  台紙
３  ラベル片
３Ａ  ラベル片３による二層ラベル片（図８）
３Ｂ  ラベル片３による二層ラベル片
３Ｃ  ラベル片３の矩形部（図５）
３Ｄ  ラベル片３の半円形部
３Ｅ  ラベル片３による二層ラベル片（図６）
４  粘着剤層
５  折り目
６  位置検出用マーク
７  ラベル片折曲げ線
８  被貼付け部
１０  ファンフォールドラベル（第１の実施例、図１）
１１  折り目
１１Ａ  折り目１１の非切断部（図２）
１１Ｂ  折り目１１の切断部
１１Ｍ  折り目１１による山折り部
１１Ｖ  折り目１１による谷折り部
２０  ファンフォールドラベル（第２の実施例、図４）
３０  ファンフォールドラベル（第３の実施例、図５）
４０  ファンフォールドラベル（第４の実施例、図６）
４１  バーコード印字領域
４２  文字数字印字領域
４３  ＲＦＩＤタグ
４４  ＲＦＩＤタグ領域
【図１】
0005022992.tif 000002
【図２】
0005022992.tif 000003
【図３】
0005022992.tif 000004
【図４】
0005022992.tif 000005
【図５】
0005022992.tif 000006
【図６】
0005022992.tif 000007
【図７】
0005022992.tif 000008
【図８】
0005022992.tif 000009
【図９】
0005022992.tif 000010